(57)【要約】【課題】必要最低限の在庫管理コスト及び敷設作業コストで意匠性に優れた目地模様の敷設態様を得ることができるブロックを提供する。【解決手段】基本型ブロック１１は、コンクリートからなるブロック本体１３を有し、当該ブロック本体１３には、疑似目地となる凹溝２０が形成されている。そして、当該凹溝２０は、ブロック本体１３における表面部１４の表面積を略２対１に分割する位置に形成されている。【選択図】　　　図１
2004124635.tif 000002
【特許請求の範囲】
【請求項１】
敷設後に意匠面を構成するブロック本体の表面部に疑似目地となる凹溝が形成されていることを特徴とするブロック。
【請求項２】
前記凹溝は、前記表面部の表面積を不均一に分割するように形成されている請求項１に記載のブロック。
【請求項３】
前記ブロック本体の側面部には所定の幅及び突出高さを有する目地確保用凸部が形成されている請求項１又は請求項２に記載のブロック。
【発明の詳細な説明】
【０００１】
【発明の属する技術分野】
本発明は、例えば建物の壁面、歩道、広場等に敷設されるブロックに関するものである。
【０００２】
【従来の技術】
従来より、歩道、広場等に敷設されるブロックとしては、敷設後において意匠面を構成する表面部の正面形状が長方形状をなす基本型ブロックと正方形状をなす１／２型ブロックが主として用いられている。そして、それら各ブロックの施工に際しては、図５（ａ）（ｂ）に示すような二つの敷設パターンにて敷設されることが多い。図５（ａ）に示す敷設パターンは、いわゆるうま目地パターンと呼ばれるものであり、全ての基本型ブロック３５が、その長手方向を同じ方向とされ、目地３６が縦方向には不連続で横方向には連続となるように、１／２型ブロック３７と組み合わされて施工される。また、図５（ｂ）に示す敷設パターンは、いわゆるあじろパターンと呼ばれるものであり、長手方向が縦方向となる基本型ブロック３５と長手方向が横方向となる基本型ブロック３５とが１／２型ブロック３７と組み合わされ、目地３６が縦横いずれの方向とも不連続となるように施工される（例えば、特許文献１参照。）。
【０００３】
【特許文献１】
特開２０００−２４０００２号公報
【０００４】
【発明が解決しようとする課題】
ところが、上記した図５（ａ）（ｂ）に示すようなうま目地パターン及びあじろパターンのブロック敷設パターンでは、そのパターンから得られる目地模様が画一的であり、意匠性に乏しいという問題があった。そこで、目地模様に変化を付与するために、前記基本型ブロック３５及び１／２型ブロック３７以外の異形ブロックを更に複数種類組み合わせて敷設するということが考えられる。しかしながら、そのように基本型ブロック３５及び１／２型ブロック３７に加えて複数種類の異形ブロックを施工箇所に応じて使い分けることとすると、管理すべきブロックの種類ばかりが増大し、在庫管理コストの増大を招いてしまうことになる。また、施工現場において各ブロックのうちいずれかの種類のブロックが不足した場合には、当該ブロックを再調達するか、余っている他のブロックに対して所要の加工を施して対応する必要があり、その作業効率が著しく低減されることにもなる。
【０００５】
本発明は、このような問題点を解決するためになされたものであり、その目的は、必要最低限の在庫管理コスト及び敷設作業コストで意匠性に優れた目地模様の敷設態様を得ることができるブロックを提供することにある。
【０００６】
【課題を解決するための手段】
上記問題点を解決するために、ブロックに係る請求項１に記載の発明は、敷設後に意匠面を構成するブロック本体の表面部に疑似目地となる凹溝が形成されていることを要旨とした。本明細書において「疑似目地」とは、実際の目地としての機能を有してはいないが、外見上目地として認識される、凹状に形成されたものをいうものと定義する。
【０００７】
また、同じく請求項２に記載の発明は、請求項１に記載のブロックにおいて、前記凹溝は、前記表面部の表面積を不均一に分割するように形成されていることを要旨とした。
【０００８】
また、同じく請求項３に記載の発明は、請求項１又は請求項２に記載のブロックにおいて、前記ブロック本体の側面部には所定の幅及び突出高さを有する目地確保用凸部が形成されていることを要旨とした。
【０００９】
【発明の実施の形態】
以下、本発明を歩道、広場等に敷設されるブロックに具体化した一実施形態を図１〜図４に従って説明する。
【００１０】
図１（ａ）（ｂ）に示すように、本実施形態においてブロックとしての基本型ブロック１１は略直方体形状をなす汎用タイプのブロックであり、敷設に際しては、当該基本型ブロック１１の略１／２の大きさに形成された図２（ａ）（ｂ）に示す１／２型ブロック１２と組み合わせて敷設される。さて、前記基本型ブロック１１は、コンクリートからなるブロック本体１３を有している。また、当該ブロック本体１３には、敷設後において意匠面を構成する表面部１４、地面に対向する底面部１５及び隣接して敷設される他の前記各ブロック１１，１２や縁石部分に対向する側面部１６〜１９が設けられている。
【００１１】
前記基本型ブロック１１の正面形状は略長方形であり、サイズは長さ方向と幅方向との比が略２対１であって、本実施形態では、一例として、長さ２３０ｍｍ、幅１１５ｍｍ、高さ６０ｍｍに形成されている。なお、前記表面部１４上には、表面部１４の略２／３に相当する面積の第１表面層１４ａと、表面部１４の略１／３に相当する面積の第２表面層１４ｂとが、それぞれ所定の凹凸面を有して形成されている。そして、図１（ａ）（ｂ）に示すように、前記表面部１４上において第１表面層１４ａと第２表面層１４ｂとの間には疑似目地となる凹溝２０が形成されている。また、前記各側面部１６〜１９には目地確保用凸部２１が一体的に設けられている。
【００１２】
前記凹溝２０は、第１表面層１４ａと第２表面層１４ｂとの面積比較からも明らかなように、ブロック本体１３における表面部１４の面積を不均一に分割する位置（本実施形態では、表面部１４の面積を略２対１に分割する位置）に、長手方向に対して垂直方向に幅５ｍｍ、深さ１０ｍｍに掘り下げ形成されている。なお、前記凹溝２０は、実際の目地としての機能を有してはいないが、外見上目地として認識される役目を果たしている。
【００１３】
前記目地確保用凸部２１は、基本型ブロック１１を敷設する際の目地幅を確保するために設けられたものであって、それぞれ対応する各側面部１６〜１９から所定の突出高さ（本実施形態では２．５ｍｍ）を有するようにして突出形成されている。即ち、側面部１６，１８にはその両端に、そして側面部１７，１９にはその両端及び中央に所定幅（両端の目地確保用凸部２１が４０ｍｍ、中央の目地確保用凸部２１が８０ｍｍ）を有して突出形成されている。また、前記目地確保用凸部２１は、各々対応する側面部１６〜１９の上端より下側に所定距離（本実施形態では１０ｍｍ）だけ離れた位置から底面部１５にかけて形成されている。なお、側面部１７，１９の中央に形成された目地確保用凸部２１の上面と、前記凹溝２０の底面とは同一面をなし、連なって形成されている。
【００１４】
前記目地確保用凸部２１を形成したのは、隣接する基本型ブロック１１及び１／２型ブロック１２との競り合いを防ぎ、ブロック本体１３の角が欠けてしまうのを防ぐとともに、目地材（本実施形態では目地砂）等を充填するスペースを確保するためである。なお、目地材は、個々のブロックを拘束し当該ブロック間の噛み合いを強め、荷重を分散させる機能を有すると共に、雨水を排水する機能も有している。
【００１５】
図２（ａ）（ｂ）に示すように、前記１／２型ブロック１２は、コンクリートからなるブロック本体２２を有している。また、当該ブロック本体２２には、敷設後において意匠面を構成する表面部２３、地面に対向する底面部２４及び隣接して敷設される他の各ブロック１１，１２や縁石部分に対向する側面部２５〜２８が設けられている。前記１／２型ブロック１２の正面形状は、略正方形に形成されており、サイズは、長さ方向と幅方向との比が略１対１であって、本実施形態では、長さと幅とが共に１１５ｍｍで、高さ６０ｍｍとなっている。なお、前記表面部２３上には、表面部２３の略全面を覆う表面層２３ａが所定の凹凸面を有して形成されている。また、図２（ａ）に示すように、側面部２５〜２８には目地確保用凸部２９が一体的に設けられている。
【００１６】
前記目地確保用凸部２９は、１／２型ブロック１２を敷設する際の目地幅を確保するために設けられたものであって、それぞれ対応する各側面部２５〜２８から所定の突出高さ（本実施形態では２．５ｍｍ）を有するようにして突出形成されている。即ち、各側面部２５〜２８にはその両端に所定幅（本実施形態では４０ｍｍ）を有して突出形成されている。また、前記目地確保用凸部２１は、各側面部２５〜２８の上端より下側に所定距離（本実施形態では１０ｍｍ）だけ離れた位置から底面部２４にかけて形成されている。
【００１７】
次に、このように構成された本実施形態における基本型ブロック１１を歩道、広場等に敷設する際の作業工程を図３，図４に基づいて説明する。基本型ブロック１１の敷設は、整地、敷き詰め、固定、及び目地砂充填の各作業により行われる。以下、各作業について説明する。
【００１８】
まず、整地作業では、基本型ブロック１１を舗装する領域が所定の深さだけ堀り下げられ平滑化される。このとき、掘り下げられる深さは、平滑化した地面３０の強度に応じて決定される。即ち、地面３０の強度が弱い場合には、通常時より深く掘り下げられ、砕石等の補強材３１を敷き詰めることで補強がなされる。そして、十分な強度を有する地面３０の上、若しくは前記補強材３１により補強された補強面上にはサンドクッション３２がブロック敷設領域の全面に渉って敷き詰められる。なお、前記サンドクッション３２は基本型ブロック１１の表面部１４が舗装仕上げ高さとなるように、その敷き詰める量（高さ）が調整される。
【００１９】
次に、敷き詰め作業では、基本型ブロック１１及び１／２型ブロック１２がブロック敷設領域の端部から順次敷き詰められていく。図３（ａ）に示す、全ての基本型ブロック１１の長手方向が同方向とされ、目地３３が縦方向には不連続で横方向には連続となるように施工される、いわゆるうま目地パターンにおいて、前記基本型ブロック１１は左右の向きが異なる２つのパターン（基本型ブロック１１Ａ，１１Ｂ）により敷設される。また、図３（ｂ）に示す、基本型ブロック１１と１／２型ブロック１２とが組み合わされ、目地３３が縦横いずれの方向とも不連続となるように施工される、いわゆるあじろパターンにおいて、基本型ブロック１１は左右及び上下の向きが異なる４つのパターン（基本型ブロック１１Ａ〜１１Ｄ）により敷設される。
【００２０】
全ての基本型ブロック１１及び１／２型ブロック１２の敷き詰め作業が完了すると、当該両ブロック１１，１２の表面部１４，２３が図示しないコンパクタ等で下方に向かって締固めされることにより、固定作業が実施される。前記両ブロック１１，１２の締固めによって、底面部１５，２４の下方にあるサンドクッション３２も締固められると同時に、前記両ブロック１１，１２がサンドクッション３２内に沈下する。更には、目地確保用凸部２１，２９で確保された目地３３内にも当該サンドクッション３２の一部が入り込み、前記両ブロック１１，１２がより強固に固定される。
【００２１】
そして、前記固定作業の後、目地砂充填作業が実施される。目地砂３４は、敷き詰められた前記両ブロック１１，１２上に撒かれ、図示しない箒等により当該両ブロック１１，１２の表面を掃くことで、目地確保用凸部２１の間に形成された目地３３、及び凹溝２０内に充填される。なお、目地砂３４には、目地３３に対して粒径が十分小さく（通常、粒度が１ｍｍ〜１．３ｍｍ程度のもの）乾燥した砂が使用される。目地砂３４が目地３３及び凹溝２０内に充填されると、外見上は目地３３と凹溝２０との区別がつかなくなる。従って、基本型ブロック１１において凹溝２０により分割された大小２つの表面部１４及び１／２型ブロック１２における表面部２３の計３つの意匠面をそれぞれ別々に備えた３種類のブロックにより敷設模様が形成されているように見える。
【００２２】
上記実施形態のブロックによれば、以下のような効果を得ることができる。
（１）上記実施形態では、基本型ブロック１１におけるブロック本体１３の表面部１４に疑似目地となる凹溝２０を形成した。従って、基本型ブロック１１及び１／２型ブロック１２とは形状の異なる異形ブロックを使用しなくとも、基本型ブロック１１の敷設方向を適宜変更することで、変化に富み意匠性に優れた目地模様の敷設態様を得ることができる。
【００２３】
（２）上記実施形態では、基本型ブロック１１において、凹溝２０を表面部１４の面積が２対１となるように分割する位置に形成した。従って、前記凹溝２０で分割された基本型ブロック１１における表面部１４と、１／２型ブロック１２における表面部２３との意匠パターンが３パターンとなり、これら２種類のブロックの組み合わせにより様々な敷設パターンを形成することが可能となる。
【００２４】
（３）上記実施形態では、基本型ブロック１１及び１／２型ブロック１２におけるブロック本体１３，２２の側面部１６〜１９，２５〜２８に目地確保用凸部２１，２９を突設形成した。従って、隣接する基本型ブロック１１及び１／２型ブロック１２との競り合いが防止され、ブロック本体１３，２２の角が欠けてしまうのを防ぐとともに、目地砂３４を充填するスペースを確保することが可能となる。
【００２５】
（４）上記実施形態では、使用するブロックの種類は前記基本型ブロック１１及び１／２型ブロック１２の２種類のみを用いた。従って、必要最低限の在庫管理コスト及び敷設作業コストを実現することが可能となる。
【００２６】
（５）上記実施形態では、凹溝２０の幅を５ｍｍに、そして、目地確保用凸部２１の各側面部１６〜１９，２５〜２８からの突出高さを２．５ｍｍとした。従って、基本型ブロック１１及び１／２型ブロック１２を敷設した際に、前記凹溝２０と目地３３との幅が同じになるため、外見上は３種類の形状のブロックが組み合わせられたように見え、意匠性に優れた目地模様の敷設態様を得ることが可能となる。
【００２７】
なお、上記実施形態は以下のように変更してもよい。
○上記実施形態では、基本型ブロック１１における表面部１４の面積を２対１に分割する位置に凹溝２０を形成したが、これに限られることなく表面部１４の面積が不均一となる位置に凹溝２０を形成すればよい。また、表面部１４は２分割に限られることはなく、複数の凹溝２０を形成することで表面部１４を３分割以上の多分割としてもよい。
【００２８】
○上記実施形態では、疑似目地を凹溝２０としたが、これに限られない。例えば曲線からなる形状であってもよいし、また直線及び曲線が組み合わされた形状であってもよい。
【００２９】
○上記実施形態では、基本型ブロック１１にのみ凹溝２０を形成したが、１／２型ブロック１２に形成してもよい。
○上記実施形態では、歩道、広場等に敷設されるブロックに具体化したが、凹溝２０を有するブロックならば建物の壁面等に使用するブロック等に具体化してもよい。この場合、目地材としては、接着作用を有する樹脂接着剤、モルタル、ウレタン等を使用するのが望ましい。
【００３０】
次に、上記実施形態及び別例から把握できる技術的思想について、それらの効果とともに以下に追記する。
（ａ）前記凹溝の幅は前記目地確保用凸部の突出高さの２倍であることを特徴とする請求項３に記載のブロック。この（ａ）に記載の発明によれば、当該ブロックを敷設した際の、凹溝と目地の幅が同じとなり、３種類のブロックを用いて敷設されているように見えるため、より意匠性に優れた模様を得ることができるブロックを提供できる。
【００３１】
（ｂ）前記目地確保用凸部は、その上端が前記ブロック本体の表面部より所定距離だけ離れた位置から下面にかけて形成されていることを特徴とする請求項３、又は上記（ａ）に記載のブロック。この（ｂ）に記載の発明によれば、ブロック同士の競り合いを防止することができるため、ブロック本体の角が欠けてしまうのを防ぐことができる。
【００３２】
【発明の効果】
本発明によれば、必要最低限の在庫管理コスト及び敷設作業コストで意匠性に優れた目地模様の敷設態様を得ることができる。
【図面の簡単な説明】
【図１】（ａ）は基本型ブロックの平面図、（ｂ）は同側面図。
【図２】（ａ）は１／２型ブロックの平面図、（ｂ）は同側面図。
【図３】（ａ）はうま目地パターンで敷設したブロック、（ｂ）はあじろパターンで敷設したブロック。
【図４】（ａ）は基本型ブロック敷設時の平面図、（ｂ）は同側面図。
【図５】（ａ）はうま目地パターンで敷設したブロックの従来例、（ｂ）はあじろパターンで敷設したブロックの従来例。
【符号の説明】
１３，２２　ブロック本体
１４，２３　表面部
１６〜１９，２５〜２８　側面部
２０　凹溝
２１，２９　目地確保用凸部
【図１】
2004124635.tif 000003
【図２】
2004124635.tif 000004
【図３】
2004124635.tif 000005
【図４】
2004124635.tif 000006
【図５】
2004124635.tif 000007